【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
加圧した呼吸可能なガスの流れを患者に輸送するための装置であって、
前記加圧した呼吸可能なガスの流れを発生させる流れ発生器と、
前記流れ発生器を含むためのケーシングであって、該ケーシングは患者の頭の頂部に係合するように構成されているケーシングと、
前記流れ発生器のための電源と、
前記加圧した呼吸可能なガスの流れを輸送するための少なくとも１つの輸送導管と、
前記少なくとも１つの輸送導管から前記加圧した呼吸可能なガスの流れを受け取るため及びそれを患者の気道に輸送するための患者インターフェイスと、
前記ケーシングを支持するためのヘッドギアであって、該装置により発せられる音響パワーを減少させるために防音材料がヘッドギアに備えられている、ヘッドギアと、
を備えることを特徴とする装置。
【請求項２】
前記ケーシングは、前記ケーシングの後ろから前方向に曲がりがあり、及び／又は横方向に曲がりがあることを特徴とする請求項１に記載の装置。
【請求項３】
前記電源は、電池を備えていることを特徴とする請求項１又は請求項２に記載の装置。
【請求項４】
前記電池は、再充電可能な電池を含むことを特徴とする請求項３に記載の装置。
【請求項５】
前記電池は少なくとも１つの可撓性がある電池セルを備えることを特徴とする請求項３又は請求項４に記載の装置。
【請求項６】
前記電源を制御するためにコントローラーをさらに備えることを特徴とする請求項１〜５のいずれか１つに記載の装置。
【請求項７】
前記コントローラーが電圧調整器を含むことを特徴とする請求項６に記載の装置。
【請求項８】
前記電源は、前記ケーシングに含まれていることを特徴とする請求項１〜７のいずれか１つに記載の装置。
【請求項９】
前記少なくとも１つの輸送導管は格納式導管であることを特徴とする請求項１〜８のいずれか１つに記載の装置。
【請求項１０】
前記少なくとも１つの輸送導管は、ヘッドギアのストラップの一部を受け取るように構成されるストラップ取り付け部を備えることを特徴とする請求項１〜９のいずれか１つに記載の装置。
【請求項１１】
前記流れ発生器は、
円柱状のハウジングと、
該ハウジング中で支持されているモーターであって、該モーターは第１端及び該第１端の反対側の第２端を有するシャフトを含み、該シャフトは前記モーターの軸と略一致しているモーターと、
前記シャフトの第１端に取り付けられた第１インペラーと、
前記シャフトの第２端に取り付けられた第２インペラーと、
前記第１インペラーからの空気の流れを導き、前記モーターの軸に向けて戻す固定子と、
を備え、
前記ハウジングは、前記シャフトの前記第１端に隣接して前記モーターの軸と略一致する入口部軸を有する入口部と、第１及び第２インペラーの間の少なくとも１つの出口部と、を含み、前記少なくとも１つの出口部は、前記円柱状のハウジングの円周に対して略接線方向にある出口部軸を有することを特徴とする請求項１〜９のいずれか１つに記載の装置。
【請求項１２】
前記円柱状のハウジングが、第１円柱状ハウジングセグメント及び第２円柱状ハウジングセグメントを含むことを特徴とする請求項１１に記載の装置。
【請求項１３】
前記入口部が前記第１円柱状ハウジングセグメントに備えられ、前記少なくとも１つの出口部が前記第２円柱状ハウジングセグメントに備えられることを特徴とする請求項１１に記載の装置。
【請求項１４】
前記第１及び第２インペラーは、複数のストレートベーンを含むことを特徴とする請求項１１〜１３のいずれか１つに記載の装置。
【請求項１５】
前記第１及び第２インペラーは、複数の湾曲したベーンを含むことを特徴とする請求項１１〜１３のいずれか１つに記載の装置。
【請求項１６】
前記複数のベーンは、高さが異なっていることを特徴とする請求項１１〜１５のいずれか１つに記載の装置。
【請求項１７】
第１インペラーの円周端で第１インペラーのベーンの高さが、流れを絞らない最小高さであることを特徴とする請求項１６記載の装置。
【請求項１８】
前記第１及び第２ハウジングセグメントの中間に第３ハウジングセグメントをさらに含み、前記固定子が前記第３ハウジングセグメントにより支持され、前記モーターが前記固定子により支持されることを特徴とする請求項１２〜１７のいずれか１つに記載の装置。
【請求項１９】
前記第１及び第２ハウジングセグメントの間で、並びに／又は前記モーター及び前記固定子の間で、騒音及び／又は振動を減衰させる材料をさらに含むことを特徴とする請求項１２〜１８のいずれか１つに記載の装置。
【請求項２０】
前記騒音及び／又は振動を減衰させる材料が、ジェルを含むことを特徴とする請求項１９に記載の装置。
【請求項２１】
前記モーターはブラシレスモーター又はアキシャルギャップモーターであることを特徴とする請求項１１〜２０のいずれか１つに記載の装置。
【請求項２２】
加圧した呼吸可能なガスの流れを発生させるための流れ発生器であって、
円柱状のハウジングと、
該ハウジング中で支持されているモーターであって、第１端及び該第１端の反対側の第２端を有するシャフトを含み、該シャフトは前記モーターの軸と略一致しているモーターと、
前記シャフトの第１端に取り付けられた第１インペラーと、
前記シャフトの第２端に取り付けられた第２インペラーと、
前記第１インペラーからの空気の流れを導き、前記モーターの軸に向けて戻す固定子と、
を含み、
前記ハウジングは、前記シャフトの前記第１端に隣接して前記モーターの軸と略一致する入口部軸を有する入口部と、少なくとも１つの第１及び第２インペラーの間の出口部と、を含み、前記少なくとも１つの出口部は、前記モーターの軸に対して略接線方向にある出口部軸を有することを特徴とする流れ発生器。
【請求項２３】
前記円柱状のハウジングが、第１円柱状ハウジングセグメント及び第２円柱状ハウジングセグメントを含むことを特徴とする請求項２２記載の流れ発生器。
【請求項２４】
前記入口部が前記第１円柱状ハウジングセグメントに備えられ、前記少なくとも１つの出口部が前記第２円柱状ハウジングセグメントに備えられることを特徴とする請求項２２記載の流れ発生器。
【請求項２５】
前記第１及び第２インペラーは、複数のストレートベーンを含むことを特徴とする請求項２２〜２４のいずれか１つに記載の流れ発生器。
【請求項２６】
前記第１及び第２インペラーは、複数の湾曲したベーンを含むことを特徴とする請求項２２〜２４のいずれか１つに記載の流れ発生器。
【請求項２７】
前記複数のベーンは、高さが異なっていることを特徴とする請求項２２〜２６のいずれか１つに記載の流れ発生器。
【請求項２８】
第１インペラーの円周端で第１インペラーのベーンの高さが、流れを絞らない最小高さであることを特徴とする請求項２７記載の流れ発生器。
【請求項２９】
前記第１及び第２ハウジングセグメントの中間に第３ハウジングセグメントをさらに含み、前記固定子が前記第３ハウジングセグメントにより支持され、前記モーターが前記固定子により支持されることを特徴とする請求項２３〜２８のいずれか１つに記載の流れ発生器。
【請求項３０】
前記第１及び第２ハウジングセグメントの間で、並びに／又は前記モーター及び前記固定子の間で、騒音及び／若しくは振動を減衰させる材料をさらに含むことを特徴とする請求項２３〜２９のいずれか１つに記載の流れ発生器。
【請求項３１】
前記騒音及び／又は振動を減衰させる材料が、ジェルを含むことを特徴とする請求項３０に記載の流れ発生器。
【請求項３２】
前記モーターはブラシレスモーター又はアキシャルギャップモーターであることを特徴とする請求項２２〜３１のいずれか１つに記載の流れ発生器。
【請求項３３】
前記モーターが、約１〜５Ｗのパワー、例えば約３Ｗを伝達するように構成されていることを特徴とする請求項２２〜３２のいずれか１つに記載の流れ発生器。
【請求項３４】
少なくとも１つの前記第１インペラー及び前記第２インペラーに取り付けられる磁石をさらに含むことを特徴とする請求項２２〜３３のいずれか１つに記載の流れ発生器。
【請求項３５】
流れ発生器が、約４０〜６０ｌ／ｍｉｎ、例えば、約５０ｌ／ｍｉｎの流れを発生させることを特徴とする請求項２２〜３４のいずれか１つに記載の流れ発生器。
【請求項３６】
流れ発生器は、約２〜１２ｃｍＨ２Ｏ、例えば約６ｃｍＨ２Ｏの圧力を発生するように構成されていることを特徴とする請求項２２〜３５のいずれか１つに記載の流れ発生器。
【請求項３７】
前記少なくとも１つの出口部が、２つの出口部を含むことを特徴とする請求項２２〜３６のいずれか１つに記載の流れ発生器。
【請求項３８】
前記２つの出口部は、ハウジング周りに略対称的に配置されていることを特徴とする請求項３７に記載の流れ発生器。
【請求項３９】
前記少なくとも１つの出口部は卵形又は楕円形の断面を有することを特徴とする請求項２２〜３８のいずれか１つに記載の流れ発生器。
【請求項４０】
前記第２インペラーは前記空気流れを前記少なくとも１つの出口部に向かって押し戻すことを特徴とする請求項２２〜３９のいずれか１つに記載の流れ発生器。
【請求項４１】
前記固定子は、複数の曲がったベーンを含むことを特徴とする請求項２２〜４０のいずれか１つに記載の流れ発生器。
【請求項４２】
加圧した呼吸可能なガスの流れを患者に輸送するための装置であって、
請求項２２〜４１のいずれか１つに記載の流れ発生器と、
前記流れ発生器を含むためのケーシングであって、該ケーシングは患者の体の一部に係合するように構成されているケーシングと、
前記流れ発生器のための電源と、
加圧した呼吸可能なガスの流れを輸送するための少なくとも１つの輸送導管と、
前記少なくとも１つの輸送導管から加圧した呼吸可能なガスの流れを受け取るため及びそれを患者の気道に輸送するための患者インターフェイスと、
を含むことを特徴とする装置。
【請求項４３】
前記電源は前記ケーシングに含まれていることを特徴とする請求項４２に記載の装置。
【請求項４４】
前記電源は、電池、例えば再充電可能な電池を含むことを特徴とする請求項４２又は請求項４３のいずれか１つに記載の装置。
【請求項４５】
前記電池は複数の電池セルを含むことを特徴とする請求項４４に記載の装置。
【請求項４６】
前記電池セルは可撓性があることを特徴とする請求項４５に記載の装置。
【請求項４７】
前記電源を制御するためのコントローラーをさらに含むことを特徴とする請求項４２〜４６のいずれか１つに記載の装置。
【請求項４８】
前記コントローラーが電圧調整器を含むことを特徴とする請求項４７に記載の装置。
【請求項４９】
前記少なくとも１つの輸送導管は格納式導管であることを特徴とする請求項４２〜４８のいずれか１つに記載の装置。
【請求項５０】
前記患者インターフェイスは前記患者の気道に密閉的に係合するように構成されることを特徴とする請求項４２〜４９のいずれか１つに記載の装置。
【請求項５１】
前記患者インターフェイスは前記患者の気道に密閉的に係合しないように構成されることを特徴とする請求項４２〜４９のいずれか１つに記載の装置。
【請求項５２】
前記少なくとも１つの輸送導管は、シリコンラバーのような柔軟な材料で形成されていることを特徴とする請求項４２〜５１のいずれか１つに記載の装置。
【請求項５３】
前記少なくとも１つの輸送導管は、柔軟なグロメット又は蛇腹により前記流れ発生器に接続されていることを特徴とする請求項４２〜５２のいずれか１つに記載の装置。
【請求項５４】
前記少なくとも１つの輸送導管は一対の輸送導管を含み、及び、各輸送導管はヘッドギアのストラップの部分を受け取るように構成されたストラップ取り付け部を含むことを特徴とする請求項４２〜５３のいずれか１つに記載の装置。
【請求項５５】
前記少なくとも一つの輸送導管は格納式導管を含むことを特徴とする請求項４２〜５４のいずれか１つに記載の装置。
【請求項５６】
前記ケーシングは、患者の頭の前及び患者の頭の後ろにそれぞれ対応する前端から後端まで曲がった回り道であることを特徴とする請求項４２〜５５のいずれか１つに記載の装置。
【請求項５７】
ケーシングは、患者の頭の前及び患者の頭の後ろにそれぞれ対応する第１側から第２側に曲がることを特徴とする請求項４２〜５６のいずれか１つに記載の装置。
【請求項５８】
患者の体の少なくとも一部を巻くように構成されるストラップをさらに含むことを特徴とする請求項４２〜５７のいずれか１つに記載の装置。
【請求項５９】
前記ストラップは前記患者の腕又は胸を巻くように構成されることを特徴とする請求項４２〜５８のいずれか１つに記載の装置。
【請求項６０】
ストラップはケーシングに一体的に形成されることを特徴とする請求項５８又は請求項５９に記載の装置。
【請求項６１】
前記流れ発生器を支持するために構成されたヘッドギアをさらに含むことを特徴とする請求項４２〜５７のいずれか１つに記載の装置。
【請求項６２】
前記ヘッドギアはスカルキャップを含むことを特徴とする請求項６１に記載の装置。
【請求項６３】
前記装置により発せられる音響パワーを減少させるために構成されたヘッドギアに備えられる防音材料をさらに含むことを特徴とする請求項６１又は請求項６２に記載の装置。
【請求項６４】
前記装置により発せられる前記音響パワーは約５０ｄＢ（Ａ）よりも少ないことを特徴とする請求項４２〜６３のいずれか１つに記載の装置。